(57)【要約】【課題】本発明は、正面側及び背面側のいずれの方向から見ても演出照明を視認することができる演出照明システム及び支持部材を提供する。【解決手段】正面側発光部１０と、背面側発光部２０と、正面側発光部１０及び背面側発光部２０を支持する支持本体部３０を備え、正面側発光部１０及び背面側発光部２０は、曲面状の曲面部１６，２６を備え、曲面部１６，２６を透過して外部に光を照射可能であり、支持本体部３０は、正面側に正面側発光部１０が取り付けられ、背面側に背面側発光部２０が取り付けられており、側面視したときに、正面側発光部１０の曲面部１６、支持本体部３０、及び背面側発光部２０の曲面部２６によって、外形形状が略円形又は略楕円形となっている構成とする。【選択図】図２
2017147202.tif 000002
【特許請求の範囲】
【請求項１】
正面側発光部と、背面側発光部と、前記正面側発光部及び前記背面側発光部を支持する支持部を備えた演出照明システムであって、
前記正面側発光部及び前記背面側発光部は、曲面状の曲面部を備え、当該曲面部を透過して外部に光を照射可能であり、
前記支持部は、正面側に前記正面側発光部が取り付けられ、背面側に背面側発光部が取り付けられており、
側面視したときに、前記正面側発光部の曲面部、前記支持部、及び前記背面側発光部の曲面部によって、外形形状が略円形又は略楕円形となっていることを特徴とする演出照明システム。
【請求項２】
前記曲面部は、正面視したときに円形状であることを特徴とする請求項１に記載の演出照明システム。
【請求項３】
少なくとも２つの支持部材と、正面側発光部材を有し、
前記２つの支持部材は、それぞれ前記支持部を有し、
前記正面側発光部材は、少なくとも２つの正面側発光部と、前記２つの正面側発光部間を接続する正面側配線部を有し、
前記２つの支持部材のうち、一方の支持部材の支持部に一方の正面側発光部が取り付けられ、他方の支持部材の支持部に他方の正面側発光部が取り付けられており、
前記２つの支持部材は、前記正面側発光部材によって橋渡しされていることを特徴とする請求項１又は２に記載の演出照明システム。
【請求項４】
背面側発光部材を有し、
前記背面側発光部材は、少なくとも２つの背面側発光部と、前記２つの背面側発光部間を接続する背面側配線部を有し、
前記２つの支持部材のうち、一方の支持部材の支持部に一方の背面側発光部が取り付けられ、他方の支持部材の支持部に他方の背面側発光部が取り付けられており、
前記２つの支持部材は、前記背面側発光部材によって橋渡しされていることを特徴とする請求項３に記載の演出照明システム。
【請求項５】
前記支持部材は、少なくとも２つの支持部と、前記２つの支持部間を接続する接続部を有し、
前記接続部の延び方向は、前記正面側配線部の延び方向と略直交していることを特徴とする請求項３又は４に記載の演出照明システム。
【請求項６】
前記正面側発光部材を少なくとも２つ有し、
正面視したときに、前記２つの正面側発光部材と前記２つの支持部材が格子状となっていることを特徴とする請求項３〜５のいずれかに記載の演出照明システム。
【請求項７】
支持部材と、正面側発光部材を有し、
前記支持部材は、少なくとも２つの支持部と、前記２つの支持部間を接続する接続部を有し、
前記正面側発光部材は、少なくとも２つの正面側発光部と、前記２つの正面側発光部間を接続する正面側配線部を有し、
前記２つの支持部に前記２つの正面側発光部が取り付けられており、前記接続部に前記正面側配線部が敷設されていることを特徴とする請求項１又は２に記載の演出照明システム。
【請求項８】
少なくとも２つの支持部材を有し、
前記２つの支持部材は、少なくとも２つの支持部と、前記２つの支持部を接続する接続部をそれぞれ有し、
前記接続部は、ワイヤー部材を保持可能な保持部を備えており、
前記２つの支持部材は、前記ワイヤー部材によって橋渡し可能となっていることを特徴とする請求項３〜７のいずれかに記載の演出照明システム。
【請求項９】
前記支持部を備えた支持部材を有し、
前記支持部材は、長尺状であって、その長手方向の端部に他の支持部材と連結可能な連結部を備えていることを特徴とする請求項１〜８のいずれかに記載の演出照明システム。
【請求項１０】
正面側発光部材及び背面側発光部材とともに演出照明システムを構成する支持部材であって、
正面側発光部を有する前記正面側発光部材と、背面側発光部を有する前記背面側発光部材とを支持する支持部材であって、
前記正面側発光部及び前記背面側発光部は、曲面状の曲面部を備えるものであって、当該曲面部を透過して外部に光を照射可能なものであり、
正面側に前記正面側発光部が取り付け可能であって、かつ背面側に背面側発光部が取り付け可能な前記支持部を有し、
前記正面側発光部及び前記背面側発光部を取り付けて側面視したときに、前記正面側発光部の曲面部及び前記背面側発光部の曲面部とともに略円形又は略楕円形の外形形状を構成することを特徴とする支持部材。
【請求項１１】
前記正面側発光部材は、少なくとも２つの正面側発光部と、前記２つの正面側発光部間を接続する正面側配線部を有し、
前記正面側配線部が一方向に延びた姿勢と、前記正面側配線部が前記一方向とは異なる方向に延びた姿勢に変更可能であることを特徴とする請求項１０に記載の支持部材。
【発明の詳細な説明】
【技術分野】
【０００１】
本発明は、イルミネーション等の演出照明に使用される演出照明システムに関する。また演出照明システムに用いられる支持部材に関する。
【背景技術】
【０００２】
従来から、商業施設等の室内イルミネーションや屋外イルミネーションとして、複数のＬＥＤ装置を格子状に敷き詰めた演出照明システムが知られている。この演出照明システムでは、各ＬＥＤ装置が所望の光で点灯することが可能となっており、各ＬＥＤ装置が発する光の発光色によって文字や映像を演出することが可能となっている。
【先行技術文献】
【特許文献】
【０００３】
【特許文献１】特開２０１３−２１８０３７号公報
【発明の概要】
【発明が解決しようとする課題】
【０００４】
ところで、ＬＥＤ装置は、点光源であるため、一方向にしか光を照射しない。そのため、演出照明システムの正面側の見物人からは、演出照明システムによる演出を見ることができるが、演出照明システムの背面側の見物人からは、演出照明システムによる演出を見ることができないという問題があった。
【０００５】
そこで、本発明は、正面側及び背面側のいずれの方向から見ても演出照明を視認することができる演出照明システム及び支持部材を提供することを目的とする。
【課題を解決するための手段】
【０００６】
上記した課題を解決するための請求項１に記載の発明は、正面側発光部と、背面側発光部と、前記正面側発光部及び前記背面側発光部を支持する支持部を備えた演出照明システムであって、前記正面側発光部及び前記背面側発光部は、曲面状の曲面部を備え、当該曲面部を透過して外部に光を照射可能であり、前記支持部は、正面側に前記正面側発光部が取り付けられ、背面側に背面側発光部が取り付けられており、側面視したときに、前記正面側発光部の曲面部、前記支持部、及び前記背面側発光部の曲面部によって、外形形状が略円形又は略楕円形となっていることを特徴とする演出照明システムである。
【０００７】
ここでいう「略円形」とは、円形だけではなく、概ね円形を形成しているものをいう。
ここでいう「略楕円形」とは、楕円形だけではなく、概ね円形を形成しているものをいう。例えば、「略楕円形」にはオーバル状等も含む。
【０００８】
本発明の構成によれば、支持部の正面側に正面側発光部が取り付けられ、背面側にも背面側発光部が取り付けられているため、見物人等は正面側及び背面側のいずれからみても各発光部による演出照明を視認することができる。
また、本発明の構成によれば、正面側発光部及び背面側発光部は、曲面状の曲面部を透過して外部に光を照射でき、正面側発光部の曲面部、支持部、及び背面側発光部の曲面部によって外形形状が略円形又は略楕円形となっているため、見物人等が側面側からみても、曲面部の曲面に沿って発光しているように見せることができ、演出照明にある程度の視野角をもたせることが可能である。
【０００９】
請求項２に記載の発明は、前記曲面部は、正面視したときに円形状であることを特徴とする請求項１に記載の演出照明システムである。
【００１０】
本発明の構成によれば、曲面部が円形であるため、演出照明の視野角を大きくすることができる。
【００１１】
請求項３に記載の発明は、少なくとも２つの支持部材と、正面側発光部材を有し、前記２つの支持部材は、それぞれ前記支持部を有し、前記正面側発光部材は、少なくとも２つの正面側発光部と、前記２つの正面側発光部間を接続する正面側配線部を有し、前記２つの支持部材のうち、一方の支持部材の支持部に一方の正面側発光部が取り付けられ、他方の支持部材の支持部に他方の正面側発光部が取り付けられており、前記２つの支持部材は、前記正面側発光部材によって橋渡しされていることを特徴とする請求項１又は２に記載の演出照明システムである。
【００１２】
本発明の構成によれば、支持部材間が各支持部材に取り付けられる正面側発光部材によって、橋渡しされているため、支持部材間の位置関係を維持しやすく各発光部間の間隔を所望の間隔に維持しやすい。
【００１３】
請求項４に記載の発明は、背面側発光部材を有し、前記背面側発光部材は、少なくとも２つの背面側発光部と、前記２つの背面側発光部間を接続する背面側配線部を有し、前記２つの支持部材のうち、一方の支持部材の支持部に一方の背面側発光部が取り付けられ、他方の支持部材の支持部に他方の背面側発光部が取り付けられており、前記２つの支持部材は、前記背面側発光部材によって橋渡しされていることを特徴とする請求項３に記載の演出照明システムである。
【００１４】
本発明の構成によれば、支持部材間が各支持部材に取り付けられる裏面側発光部材によっても橋渡しされているため、より各発光部間の間隔を所望の間隔に維持しやすい。
【００１５】
請求項５に記載の発明は、前記支持部材は、少なくとも２つの支持部と、前記２つの支持部間を接続する接続部を有し、前記接続部の延び方向は、前記正面側配線部の延び方向と略直交していることを特徴とする請求項３又は４に記載の演出照明システムである。
【００１６】
ここでいう「略直交」とは、ある程度距離を取ってみたときに直交しているように見える関係をいう。具体的には２方向の交差角度が８５度以上９５度以下の範囲である。すなわち、「略直交」には直交（９０度）も含む。
【００１７】
本発明の構成によれば、支持部材と正面側発光部材が略直交するように交差しているため、各発光部間の間隔を一定の間隔に維持しやすい。
【００１８】
請求項６に記載の発明は、前記正面側発光部材を少なくとも２つ有し、正面視したときに、前記２つの正面側発光部材と前記２つの支持部材が格子状となっていることを特徴とする請求項３〜５のいずれかに記載の演出照明システムである。
【００１９】
本発明の構成によれば、２つの正面側発光部材と２つの支持部材が格子状となっているため、各発光部間の間隔を一定の間隔に維持しやすい。
【００２０】
請求項７に記載の発明は、支持部材と、正面側発光部材を有し、前記支持部材は、少なくとも２つの支持部と、前記２つの支持部間を接続する接続部を有し、前記正面側発光部材は、少なくとも２つの正面側発光部と、前記２つの正面側発光部間を接続する正面側配線部を有し、前記２つの支持部に前記２つの正面側発光部が取り付けられており、前記接続部に前記正面側配線部が敷設されていることを特徴とする請求項１又は２に記載の演出照明システムである。
【００２１】
本発明の構成によれば、正面側発光部材が支持部材に沿って配されているため、支持部材の剛性によって正面側発光部材が補強され、正面側発光部材が破損しにくい。
【００２２】
請求項８に記載の発明は、少なくとも２つの支持部材を有し、前記２つの支持部材は、少なくとも２つの支持部と、前記２つの支持部を接続する接続部をそれぞれ有し、前記接続部は、ワイヤー部材を保持可能な保持部を備えており、前記２つの支持部材は、前記ワイヤー部材によって橋渡し可能となっていることを特徴とする請求項３〜７のいずれかに記載の演出照明システムである。
【００２３】
本発明の構成によれば、ワイヤー部材によって支持部材間が橋渡しできるため、仮に外部から支持部材間が離反する方向に力が加わったとしても、ワイヤー部材によって支持部材が所定の間隔以上に離反することを防止できる。
【００２４】
請求項９に記載の発明は、前記支持部を備えた支持部材を有し、前記支持部材は、長尺状であって、その長手方向の端部に他の支持部材と連結可能な連結部を備えていることを特徴とする請求項１〜８のいずれかに記載の演出照明システムである。
【００２５】
本発明の構成によれば、一の支持部材は、連結部によって他の支持部材と連結できるため、各支持部材を連結することによって、容易に演出照明システムの全体の面積を大きくすることができる。
【００２６】
請求項１０に記載の発明は、正面側発光部材及び背面側発光部材とともに演出照明システムを構成する支持部材であって、正面側発光部を有する前記正面側発光部材と、背面側発光部を有する前記背面側発光部材とを支持する支持部材であって、前記正面側発光部及び前記背面側発光部は、曲面状の曲面部を備えるものであって、当該曲面部を透過して外部に光を照射可能なものであり、正面側に前記正面側発光部が取り付け可能であって、かつ背面側に背面側発光部が取り付け可能な前記支持部を有し、前記正面側発光部及び前記背面側発光部を取り付けて側面視したときに、前記正面側発光部の曲面部及び前記背面側発光部の曲面部とともに略円形又は略楕円形の外形形状を構成することを特徴とする支持部材である。
【００２７】
本発明の構成によれば、支持部の正面側に正面側発光部が取り付けられ、背面側に背面側発光部が取り付けられることによって、見物人等は、正面側及び背面側のいずれからみても演出照明を視認することができる。
また、本発明の構成によれば、見物人等が側面側からみても、曲面部の曲面に沿って発光しているように見せることができ、演出照明にある程度の視野角をもたせることが可能である。
【００２８】
請求項１１に記載の発明は、前記正面側発光部材は、少なくとも２つの正面側発光部と、前記２つの正面側発光部間を接続する正面側配線部を有し、前記正面側配線部が一方向に延びた姿勢と、前記正面側配線部が前記一方向とは異なる方向に延びた姿勢に変更可能であることを特徴とする請求項１０に記載の支持部材である。
【００２９】
本発明の構成によれば、正面側発光部材の取り付け姿勢を変更可能であるため、設置環境に合わせて、演出照明システムを設計することができる。
【発明の効果】
【００３０】
本発明によれば、正面側及び背面側のいずれの方向から見ても演出を視認することができる。
【図面の簡単な説明】
【００３１】
【図１】本発明の第１実施形態の演出照明システムの模式図である。
【図２】図１の演出照明システムの要部の一部を分解した分解斜視図である。
【図３】図１の演出照明システムの要部を背面側からみた斜視図である。
【図４】図１の演出照明システムの要部の正面図である。
【図５】図１の演出照明システムの要部の背面図である。
【図６】図１の演出照明システムの要部の側面図である。
【図７】図１の正面側発光部材の斜視図である。
【図８】図１の支持部材の斜視図である。
【図９】図１のワイヤー部材の斜視図である。
【図１０】図１の支持部材間の接続部分の拡大図であり、支持部材間を取り付ける状況を示す。
【図１１】本発明の第２実施形態の演出照明システムの要部拡大図である。
【図１２】本発明の他の実施形態の演出照明システムの要部拡大図である。
【図１３】本発明の他の実施形態の演出照明システムの模式図である。
【発明を実施するための形態】
【００３２】
以下、本発明の実施形態について詳細に説明する。
【００３３】
本発明の第１実施形態の演出照明システム１は、主に商業施設等の室内イルミネーションや屋外イルミネーションに使用される演出装置であって、空間を光で照らす照明装置でもある。演出照明システム１は、天井や枠体等の固定構造物に対して垂下した姿勢で取り付けられるものである。
演出照明システム１は、図１，図２，図３から読み取れるように、正面側発光部材２と、背面側発光部材３と、支持部材５と、ワイヤー部材６を有している。
演出照明システム１は、正面視したときに、正面側発光部材２と支持部材５が縦横格子状に配されており、背面視したときに、背面側発光部材３と支持部材５が縦横格子状に配されている。すなわち、各発光部材２，３は、支持部材５の前方側及び後方側において、ドットマトリクスを形成している。
そして、演出照明システム１は、各発光部材２，３が点灯されることによって、所望の映像や文字等を演出することが可能となっている。
【００３４】
正面側発光部材２は、図７のように、複数の正面側発光部１０を有し、これらが正面側配線部１１によって電気的及び物理的に接続されている。
正面側発光部１０は、透明、乳半、又はフロストの樹脂によって形成されたカバー部１２を備えており、カバー部１２の内部にＬＥＤ及びＩＣチップ等が内蔵されている。そして、各正面側発光部１０は、所望の発光色に発光可能となっている。
カバー部１２は、サンドブラスト加工されていてもよい。
本実施形態の正面側発光部１０は、カバー部１２が透光性を有しており、さらにカバー部１２の内部がシリコン樹脂等の透光性をもつ封止材によって充填されて封止されている。そして、正面側発光部１０は、カバー部１２の外部からＬＥＤ及びＩＣチップ部分が透過して視認できるようになっている。
【００３５】
カバー部１２は、図４のように正面視したときに円形状であって、図６のように側面視したときに、光照射側の面の一部が半円弧状又は半楕円形状となっている。すなわち、正面側発光部１０のカバー部１２は、光照射側の面に曲面部１６を備えている。
正面側発光部１０は、カバー部１２の内部のＬＥＤから照射される光をカバー部１２の曲面部１６を透過して外部に光を照射可能となっている。本実施形態では、正面側発光部１０は、変色及び調光可能となっている。
【００３６】
正面側配線部１１は、図４に示されるように、正面側発光部１０，１０間、又は正面側発光部１０と外部電源との間を電気的及び物理的に接続する配線である。
正面側配線部１１は、給電線と信号線の周囲を黒色又は透明の外装部によって被覆されて形成されており、各正面側発光部１０に対して給電及び制御可能となっている。
正面側配線部１１は、長尺状をしており、ある程度屈曲可能となっている。
【００３７】
背面側発光部材３は、図５のように複数の背面側発光部２０を有し、これらが背面側配線部２１によって電気的及び物理的に接続されている。
背面側発光部２０は、透明、乳半、又はフロストの樹脂によって形成されたカバー部２２を備えており、カバー部２２の内部にＬＥＤ及びＩＣチップ等が内蔵されている。そして、各背面側発光部２０は、所望の発光色に発光可能となっている。
カバー部２２は、サンドブラスト加工されていてもよい。
本実施形態の背面側発光部２０は、カバー部２２が透光性を有しており、さらにカバー部２２の内部がシリコン樹脂等の透光性をもつ封止材によって充填されて封止されている。そして、背面側発光部２０は、カバー部２２の外部からＬＥＤ及びＩＣチップ部分が透過して視認できるようになっている。
【００３８】
カバー部２２は、図５のように背面視したときに略円形状であって、図６のように側面視したときに、光照射側の面の一部が半円状又は半楕円形状となっている。すなわち、背面側発光部２０のカバー部２２は、光照射側の面に曲面状の曲面部２６を備えている。
背面側発光部２０は、カバー部２２の内部のＬＥＤから照射される光をカバー部２２の曲面部２６を透過して外部に光を照射可能となっている。本実施形態では、背面側発光部２０は、変色及び調光可能となっている。
【００３９】
背面側配線部２１は、図５に示されるように、背面側発光部２０，２０間、又は背面側発光部２０と外部電源との間を電気的及び物理的に接続する配線である。
背面側配線部２１は、給電線と信号線の周囲を黒色又は透明の外装部によって被覆されて形成されており、各背面側発光部２０に対して給電及び制御可能となっている。
背面側配線部２１は、長尺状をしており、ある程度屈曲可能となっている。
【００４０】
支持部材５は、図２のように正面側発光部材２及び背面側発光部材３を支持可能な部材であり、所定の方向（本実施形態では縦方向Ｙ）に長尺状に延びた部材である。
支持部材５は、図８のように、複数の支持本体部３０（支持部）と、複数の支持接続部３１（接続部）と、一対の支持連結部３２，３３（連結部）を備えている。
【００４１】
本実施形態の支持部材５は、図８のように、８つの支持本体部３０Ａ〜３０Ｈを備えており、これらが７つの支持接続部３１Ａ〜３１Ｇで接続されている。そして、支持連結部３２，３３は、最も外側の支持本体部３０Ａ，３０Ｈから外側に向かって延びている。
【００４２】
支持本体部３０は、正面側発光部材２の正面側発光部１０及び背面側発光部材３の背面側発光部２０を保持する部位であり、本体板部３４と、複数の正面側係合部３５（３５ａ〜３５ｄ）と、複数の背面側係合部３６（３６ａ〜３６ｄ）を備えている。
【００４３】
本体板部３４は、外形形状が略円形状の板状部位であり、正面側発光部１０を載置する台座として機能し、背面側発光部２０を載置する台座としても機能する部位である。
【００４４】
正面側係合部３５は、正面側発光部１０の一部と係合し、正面側発光部１０を支持部材５に取り付ける取付部である。具体的には、正面側係合部３５は、本体板部３４の一方の面（正面側の面）から前方側に向かって突出した突出片であり、本体板部３４の外周に沿った形状をしている。また、正面側係合部３５の突出方向先端部近傍には、本体板部３４を正面視したときに、本体板部３４の中心側に突出した正面側係合片（図示しない）が形成されている。
【００４５】
背面側係合部３６は、背面側発光部２０の一部と係合し、背面側発光部２０を支持部材５に取り付ける取付部である。
具体的には、背面側係合部３６は、正面側係合部３５と同様の形状をした係合部であり、本体板部３４からの突出方向が逆方向となっている。すなわち、背面側係合部３６は、本体板部３４の他方の面（背面側の面）から後方側に向かって突出した突出片であり、本体板部３４の外周に沿った形状をしている。また、背面側係合部３６の突出方向先端部近傍には、本体板部３４を背面視したときに、本体板部３４の中心側に突出した背面側係合片（図示しない）が形成されている。
【００４６】
本実施形態の支持本体部３０は、図４，図５，図８から読み取れるように、１つの本体板部３４に対して、４つの正面側係合部３５ａ〜３５ｄ（３５）と、４つの背面側係合部３６ａ〜３６ｄ（３６）を備えている。
各正面側係合部３５ａ〜３５ｄは、図４のように、本体板部３４の外周に沿って所定の間隔を空けて並設されている。すなわち、正面側係合部３５ａ〜３５ｄは、本体板部３４を正面視したときに本体板部３４を囲むように配されており、各正面側係合部３５ａ〜３５ｄの間に隙間４０ａ〜４０ｄが形成されている。また、支持本体部３０は、正面側係合部３５によって囲まれた固定空間４１を備えており、固定空間４１に正面側発光部１０の一部を取り付け可能となっている。固定空間４１は、隙間４０ａ〜４０ｄを介して内外と連通している。
【００４７】
固定空間４１は、隙間４０ａ〜４０ｄを経由して内外と連通しており、各正面側係合部３５ａ〜３５ｄ間の隙間４０ａ〜４０ｄには、正面側発光部材２の正面側配線部１１を通過可能となっている。すなわち、正面側発光部材２の正面側配線部１１，１１が隙間４０ａ，４０ｃに挿通した姿勢と、正面側発光部材２の正面側配線部１１，１１が隙間４０ｂ，４０ｄに挿通した姿勢とに変更可能となっている。
本実施形態の演出照明システム１では、正面側発光部材２の正面側配線部１１，１１が隙間４０ｂ，４０ｄに挿通した姿勢を取る。
【００４８】
２つの正面側係合部３５ａ，３５ｃは、図４，図８から読み取れるように、本体板部３４を挟んで対向しており、正面側係合部３５ａ，３５ｃの正面側係合片は互いに近接するように突出している。残りの正面側係合部３５ｂ，３５ｄは、本体板部３４を挟んで対向しており、正面側係合部３５ｂ，３５ｄの正面側係合片は互いに近接するように突出している。
また、正面側係合部３５ａ，３５ｂでなす隙間４０ａは、正面側係合部３５ｃ，３５ｄでなす隙間４０ｃと固定空間４１を挟んで対向しており、正面側係合部３５ｂ，３５ｃでなす隙間４０ｂは、正面側係合部３５ｄ，３５ａでなす隙間４０ｄと固定空間４１を挟んで対向している。
【００４９】
各背面側係合部３６ａ〜３６ｄは、図５，図８から読み取れるように、本体板部３４の外周に沿って所定の間隔を空けて並設されている。すなわち、背面側係合部３６ａ〜３６ｄは、本体板部３４を背面視したときに本体板部３４を囲むように配されており、各背面側係合部３６ａ〜３６ｄの間に隙間４５ａ〜４５ｄが形成されている。また、支持本体部３０は、背面側に背面側係合部３６によって囲まれた固定空間４６を備えており、固定空間４６に背面側発光部２０の一部を取り付け可能となっている。固定空間４６は、隙間４５ａ〜４５ｄを介して内外と連通している。
【００５０】
固定空間４６は、隙間４５ａ〜４５ｄを経由して内外と連通しており、各背面側係合部３６ａ〜３６ｄ間の隙間４５ａ〜４５ｄには、背面側発光部材３の背面側配線部２１を通過可能となっている。
２つの背面側係合部３６ａ，３６ｃは、本体板部３４を挟んで対向しており、背面側係合部３６ａ，３６ｃの背面側係合片は互いに近接するように突出している。残りの背面側係合部３６ｂ，３６ｄは、本体板部３４を挟んで対向しており、背面側係合部３６ｂ，３６ｄの背面側係合片は互いに近接するように突出している。
また、背面側係合部３６ａ，３６ｂでなす隙間４５ａは、背面側係合部３６ｃ，３６ｄでなす隙間４５ｃと固定空間４６を挟んで対向しており、背面側係合部３６ｂ，３６ｃでなす隙間４５ｂは、背面側係合部３６ｄ，３６ａでなす隙間４５ｄと固定空間４６を挟んで対向している。
【００５１】
支持接続部３１は、図８のように、支持本体部３０，３０間を接続する接続部であり、断面形状が「Ｈ」字状の長尺体である。支持接続部３１は、隣接する支持本体部３０，３０間を所定の間隔に維持する間隔維持部でもある。
支持接続部３１の接続方向（長手方向）の長さは、正面側配線部１１の長さ及び背面側配線部２１の長さと略同一となっている。
支持接続部３１は、図４，図５，図８から読み取れるように接続板部５０と、正面側壁部５１，５２と、背面側壁部５３，５４を備えている。
【００５２】
接続板部５０は、支持本体部３０，３０の本体板部３４，３４間を直線状に延びた長板である。各接続板部５０は一律同じ長さとなっている。
【００５３】
正面側壁部５１，５２は、接続板部５０の幅方向Ｘの端部から前方側に向けて立設された壁部であり、接続板部５０の長手方向の強度を補強するリブでもある。
正面側壁部５１，５２は、接続板部５０とともに正面側配線部１１の大部分を収納可能な配線空間５５を形成する壁部である。
配線空間５５は、接続板部５０及び正面側壁部５１，５２によって囲繞された空間であり、接続する支持本体部３０，３０を結ぶ空間である。
配線空間５５は、接続する支持本体部３０，３０において、一方の正面側係合部３５ａ，３５ｂ間の隙間４０ａと、他方の正面側係合部３５ｃ，３５ｄ間の隙間４０ｃを連通させ、支持本体部３０，３０の固定空間４０，４０を連通させる空間である。
【００５４】
背面側壁部５３，５４は、正面側壁部５１，５２と同様の形状をした壁部であり、接続板部５０からの突出方向が逆方向となっている。
すなわち、背面側壁部５３，５４は、接続板部５０の幅方向Ｘの端部から後方側に向けて立設された壁部であり、接続板部５０の長手方向の強度を補強するリブでもある。
背面側壁部５３，５４は、接続板部５０とともに背面側配線部２１の大部分を収納可能な配線空間６０を形成する壁部である。
配線空間６０は、接続板部５０及び背面側壁部５３，５４によって囲繞された空間であり、接続する支持本体部３０，３０を結ぶ空間である。配線空間６０は、接続する支持本体部３０，３０において、一方の背面側係合部３６ａ，３６ｂ間の隙間４５ａと、他方の背面側係合部３６ｃ，３６ｄ間の隙間４５ｃを連通させ、支持本体部３０，３０の固定空間４６，４６を連通させる空間である。
【００５５】
支持連結部３２は、支持部材５の長手方向（縦方向Ｙ）の一方の端部に設けられ、他の支持部材５の支持連結部３３と連結可能な部位である。
支持連結部３２は、図８のように、連結本体部６５と、連結張出部６６と、連結突起部６７を備えている。
連結本体部６５は、支持本体部３０から直線状に延びた長板状の部位である。
連結張出部６６は、連結本体部６５の延び方向（上方向）の端面（支持本体部３０と反対側の端面）の一部から張り出した張出部であり、連結張出部６６の幅（幅方向Ｘの長さ）は連結本体部６５の幅（幅方向Ｘの長さ）よりも狭くなっている。
連結突起部６７は、連結張出部６６の側面から連結張出部６６の張出方向Ｙに対して交差する方向（本実施形態では直交方向）に突出した突出片であり、断面形状が円形状の棒状の突起である。
【００５６】
支持連結部３３は、支持部材５の長手方向の他方の端部に設けられ、他の支持部材５の支持連結部３２と連結可能な部位である。
支持連結部３３は、図８のように、連結本体部７０と、連結張出部７１と、連結穴７２を備えている。
連結本体部７０は、支持本体部３０から直線状に延びた長板状の部位であり、連結本体部７０の幅は、連結本体部６５と同程度の幅となっている。
連結張出部７１は、連結本体部７０の延び方向の端面（支持本体部３０と反対側の端面）の一部から張り出した張出部であり、連結張出部７１の幅は連結本体部７０の幅よりも狭くなっている。
連結穴７２は、連結張出部７１の部材厚方向に深さをもった係合穴であり、断面形状が円形状の有底穴又は貫通孔である。本実施形態の連結穴７２は、連結張出部７１の部材厚方向に貫通した貫通孔であり、連結突起部６７を挿通可能な挿通孔である。
【００５７】
支持部材５は、図８のように、各支持本体部３０，３０間を接続する支持接続部３１Ａ〜３１Ｇのうち、特定の支持接続部３１Ａ，３１Ｄ，３１Ｇには、保持部６１Ａ，６１Ｂ，６１Ｃを備えている。
本実施形態の支持部材５は、保持部６１Ａ，６１Ｂ，６１Ｃが長手方向（縦方向Ｙ）において三ケ所に設けられており、保持部６１Ａ，６１Ｂ，６１Ｃが長手方向（縦方向Ｙ）において所定の間隔を空けて配されている。具体的には、保持部６１Ｂが長手方向の中央に設けられ、保持部６１Ｂに対して上方側に保持部６１Ａが設けられ、下方側に保持部６１Ｃが設けられている。
【００５８】
保持部６１（６１Ａ，６１Ｂ，６１Ｃ）は、図３から読み取れるように、ワイヤー部材６の取付部７５を着脱可能に保持可能な部位であり、２つの係合片６２，６３から構成されている。係合片６２，６３は、接続板部５０に対して後方側に立設された壁部であり、ワイヤー部材６の取付部７５を挟持可能となっている。
【００５９】
ワイヤー部材６は、各支持部材５，５間を接続する部材であり、支持部材５の脱離を防止する脱離防止部材である。
ワイヤー部材６は、図９のように、複数の取付部７５と、複数の線状部７６を備えており、これらが連なって一つの線状体となっている。
取付部７５は、支持部材５に対して取り付けられる部位であり、円柱状の部位である。
線状部７６は、ステンレスワイヤーで形成されており、取付部７５，７５間を結ぶ部位である。
【００６０】
続いて、本実施形態の演出照明システム１の各構成部材の位置関係について説明する。
【００６１】
演出照明システム１は、図４のように、正面視したときに、横方向Ｘにおいて複数の支持部材５が所定の間隔を空けて並設されており、縦方向Ｙにおいて複数の支持部材５が直線状に連結されている。本実施形態では、支持部材５は、横方向Ｘにおいて各支持接続部３１の長手方向が平行となるように並設されており、縦方向Ｙにおいて各支持接続部３１が直線状になるように連結されている。
【００６２】
正面側発光部材２は、支持部材５の正面側で横方向Ｘに延びており、各支持部材５間を橋渡ししている。一方、背面側発光部材３は、支持部材５の背面側で横方向Ｘに延びており、各支持部材５間を橋渡ししている。すなわち、正面側発光部材２は、正面視したときに各支持部材５間に跨っており、背面側発光部材３は背面視したときに各支持部材５間に跨っている。
正面側発光部材２及び背面側発光部材３の延び方向は、各支持部材５の延び方向と直交している。すなわち、正面側発光部材２と支持部材５は、正面視すると縦横格子状に広がって配されており、背面側発光部材３と支持部材５は、背面視すると縦横格子状に広がって配されている。正面側発光部材２は、支持部材５を挟んで背面側発光部材３と対向している。
各支持部材５の保持部６１には、図３のように、ワイヤー部材６の取付部７５が取り付けられており、ワイヤー部材６によって各支持部材５の間隔が一定以上の間隔に開かないように規制されている。すなわち、ワイヤー部材６は、各支持部材５を橋渡ししており、各支持部材５間に跨って配されている。
横方向Ｘに隣接する支持部材５，５及び縦方向Ｙに隣接する正面側発光部材２，２は、それぞれの間隔が概ね等しく、正面視したときに略正方形の窓を形成している。同様に、横方向Ｘに隣接する支持部材５，５及び縦方向Ｙに隣接する背面側発光部材３，３は、それぞれの間隔が概ね等しく、背面視したときに略正方形を形成している。
【００６３】
縦方向Ｙに並んだ各支持部材５は、図１０のように、支持部材５の上端部に設けられた支持連結部３２が縦方向Ｙに隣接する支持部材５の下端部に設けられた支持連結部３３と連結されている。
具体的には、下側の支持部材５の連結張出部６６が上側の支持部材５の連結張出部７１と横方向Ｘで重なっており、下側の支持部材５の連結突起部６７は、上側の支持部材５の連結穴７２に挿入されている。すなわち、下側の支持部材５は、上側の支持部材５と縦方向Ｙに係合しており、下側の支持部材５の連結本体部６５は、上側の支持部材５の連結本体部７０と直線状に並んでいる。また、縦方向Ｙに隣接する支持部材５のうち、一方の支持部材５は、他方の支持部材５に対して、連結突起部６７を回転軸として相対的に回転可能となっている。
【００６４】
支持本体部３０近傍に注目すると、図４のように、支持部材５の支持本体部３０は、本体板部３４の正面側に正面側発光部材２の正面側発光部１０が取り付けられており、正面側係合部３５とカバー部１２が係合している。同様に、図５のように、支持部材５の支持本体部３０は、本体板部３４の背面側に背面側発光部材３の背面側発光部２０が取り付けられており、背面側係合部３６とカバー部２２が係合している。
支持本体部３０は、側面視したときに、図６のように、正面側発光部１０のカバー部１２、及び背面側発光部２０のカバー部２２とともに、外形形状が略円形状又は略楕円形状となっている。
本実施形態の支持本体部３０は、正面側発光部１０のカバー部１２及び背面側発光部２０のカバー部２２とともに、外形形状が直線部分と円弧部分で形成されたオーバル状となっている。
また、正面側発光部１０の曲面部１６と、背面側発光部２０の曲面部２６は、互いに離反する方向を向いている。
【００６５】
本実施形態の演出照明システム１によれば、支持部材５の両面に発光部材２，３が配されており、曲面部１６，２６を介して正面側及び背面側の双方に光を照射することができるため、見物人等が正面側及び背面側のどちらからみても、演出照明を視認することができる。
【００６６】
本実施形態の演出照明システム１によれば、側面視したときに正面側発光部１０のカバー部１２、支持本体部３０、及び背面側発光部２０のカバー部２２の外形形状が円形状又は楕円状となっているため、見物人等が側面側からみても、曲面部１６，２６の曲面に沿って発光しているように見せることができ、演出照明にある程度の視野角をもたせることが可能である。
【００６７】
本実施形態の演出照明システム１によれば、縦方向Ｙにおいて、各支持本体部３０，３０間の間隔が支持接続部３１によって等間隔に維持されているので、正面側発光部１０，１０の間隔及び背面側発光部２０，２０の間隔を等間隔にすることができる。そのため、縦方向Ｙにおいて、正面側発光部１０及び背面側発光部２０を規則正しく設置することができる。
【００６８】
本実施形態の演出照明システム１によれば、横方向Ｘにおいて、各支持本体部３０，３０間の間隔が正面側発光部材２の正面側配線部１１及び背面側発光部材３の背面側配線部２１によって等間隔に維持されているので、正面側発光部１０，１０の間隔及び背面側発光部２０，２０の間隔を等間隔にすることができる。そのため、横方向Ｘにおいて、正面側発光部１０及び背面側発光部２０を規則正しく設置することができる。
また、本実施形態の演出照明システム１によれば、ワイヤー部材６の取付部７５が支持部材５の保持部６１に保持されているため、支持部材５，５間が離反しすぎることを防止することができる。
【００６９】
本実施形態の演出照明システム１によれば、正面側発光部１０と背面側発光部２０は、縦横方向に等間隔に配されて、ドットマトリクス構造を形成しているため、各正面側発光部１０及び各背面側発光部２０の発光色や光量を調整することによって、発光部１０，２０によって映像や文字を表現することができる。
【００７０】
上記した実施形態では、正面側発光部材２及び背面側発光部材３の延び方向が支持部材５の延び方向に対して直交していたが、本発明はこれに限定されるものではない。
例えば、正面側発光部材２及び背面側発光部材３の延び方向が支持部材５の延び方向に対して平行となっていてもよい。
この場合を第２実施形態の演出照明システムとして説明する。
【００７１】
第２実施形態の演出照明システムは、第１実施形態の演出照明システムと構成部材は同じであるが、上記したように、支持部材５と、正面側発光部材２及び背面側発光部材３の位置関係が異なる。
【００７２】
具体的には、第２実施形態の演出照明システムは、図１１のように、支持部材５が横方向Ｘに所定の間隔を空けて配されており、これらがワイヤー部材６によって接続されている。
支持部材５の延び方向は、正面側発光部材２及び背面側発光部材３の延び方向と同一方向を向いている。すなわち、支持部材５、正面側発光部材２、及び背面側発光部材３はいずれも縦方向Ｙに延びている。
一方、支持部材５，５間を接続するワイヤー部材６は、横方向Ｘに延びている。
【００７３】
正面側配線部１１は、支持部材５の本体板部３４の正面側に敷設されており、長手方向に本体板部３４を這っている。同様に背面側配線部２１は、本体板部３４の背面側に敷設されており、長手方向に本体板部３４を這っている。すなわち、配線部１１，２１は、支持部材５の支持接続部３１によって支持されており、正面側壁部５１，５２間又は背面側壁部５３，５４間を這っている。
【００７４】
本実施形態の演出照明システムによれば、配線部１１，２１が支持部材５の支持接続部３１に支持されているため、配線部１１，２１に荷重がかかっても破損しにくい。
【００７５】
上記した実施形態では、支持部材５及び発光部材２，３が縦横碁盤状に配されていたが、本発明はこれに限定されるものではない。支持部材５及び発光部材２，３は、図１２のようにひし形状に配されていてもよい。すなわち、支持部材５が縦方向Ｙにずれていてもよい。
【００７６】
上記した実施形態では、同一平面上に支持部材５が並んでいたが、本発明はこれに限定されるものではない。支持部材５は、図１３のように立体的に並んでいてもよい。
【００７７】
上記した実施形態では、支持部材５は横方向Ｘに等間隔に配されていたが、本発明はこれに限定されるものではなく、支持部材５，５間の間隔は、等間隔でなくてもよい。
【００７８】
上記した実施形態では、縦方向Ｙに隣接する支持部材５，５の支持連結部３２，３３が横方向Ｘに重なって連結していたが、本発明はこれに限定されるものではなく、支持部材５，５の支持連結部３２，３３間の連結方向は特に限定されない。
【００７９】
上記した実施形態では、演出照明システム１が天井等の固定構造物に対して垂下した姿勢で取り付けられた場合について説明したが、本発明はこれに限定されるものではなく、演出照明システム１の姿勢は特に限定されない。
【符号の説明】
【００８０】
１  演出照明システム
２  正面側発光部材
３  背面側発光部材
５  支持部材
６  ワイヤー部材
１０  正面側発光部
１１  正面側配線部
１６  曲面部
２０  背面側発光部
２１  背面側配線部
２６  曲面部
３０  支持本体部（支持部）
３１  支持接続部（接続部）
３２，３３  支持連結部（連結部）
【図１】
2017147202.tif 000003
【図２】
2017147202.tif 000004
【図３】
2017147202.tif 000005
【図４】
2017147202.tif 000006
【図５】
2017147202.tif 000007
【図６】
2017147202.tif 000008
【図７】
2017147202.tif 000009
【図８】
2017147202.tif 000010
【図９】
2017147202.tif 000011
【図１０】
2017147202.tif 000012
【図１１】
2017147202.tif 000013
【図１２】
2017147202.tif 000014
【図１３】
2017147202.tif 000015